(57)【要約】【課題】ケーブルを非使用時に邪魔にならないように収納可能とする。【解決手段】携帯型電源装置は、円筒形の二次電池２と、二次電池２を内部に収納する円筒形の本体ケース１と、二次電池２の充電回路３１及び放電回路３２を実装した平板状の回路基板３と、本体ケース１の端面１ｘから引き出されて、先端に接続端子５を設けたケーブル部４とを備える。本体ケース１は、長手方向において、二次電池２を収納する電池収納部１Ａと、回路基板３を収納する基板収納部１Ｂに分割されると共に、基板収納部１Ｂの端面１ｘからケーブル部４が引き出されており、さらに、本体ケース１は、基板収納部１Ｂにおいて、円筒状の横断面の略中央に位置して回路基板３が長手方向に延長して配置されると共に、回路基板３の第一面３Ａ側に形成されるスペースであって、本体ケース１表面に、ケーブル部４及び接続端子５を収納する収納凹部６が形成されている。【選択図】図６
2016226066.tif 000002
【特許請求の範囲】
【請求項１】
円筒形の二次電池と、
前記二次電池を内部に収納する一方向に延長された円筒形の本体ケースと、
前記二次電池と電気的に接続され、該二次電池を充電する充電回路、及び該二次電池から放電するための放電回路を実装した平板状の回路基板と、
前記本体ケースの端面から引き出されて、先端に接続端子を設けたケーブル部と、
を備える携帯型電源装置であって、
前記ケーブル部及び前記接続端子の各横断面の面積は、前記円筒状の本体ケースの横断面の面積の１／２よりもそれぞれ小さく、
前記本体ケースは、長手方向において、前記二次電池を収納する電池収納部と、前記回路基板を収納する基板収納部に分割されると共に、前記基板収納部の端面から前記ケーブル部が引き出されており、
さらに、前記本体ケースは、前記基板収納部において、円筒状の横断面の略中央に位置して前記回路基板が長手方向に延長して配置されると共に、該回路基板の第一面側に形成されるスペースであって、該本体ケース表面に、前記ケーブル部及び前記接続端子を収納する収納凹部が形成されてなることを特徴とする携帯型電源装置。
【請求項２】
請求項１に記載の携帯型電源装置であって、
前記本体ケースの端面に窪み部が形成されており、前記窪み部において前記ケーブル部が外部に引き出されてなることを特徴とする携帯型電源装置。
【請求項３】
請求項２に記載の携帯型電源装置であって、
前記窪み部は、端面側の開口部の内面が中央凸な曲面状に面取りされてなることを特徴とする携帯型電源装置。
【請求項４】
請求項２または３に記載の携帯型電源装置であって、
前記本体ケースの端面の内側に、前記ケーブル部の周囲をカバーするブッシュ部を備えており、前記ブッシュ部の端面側に窪み部を形成してなることを特徴とする携帯型電源装置。
【請求項５】
請求項４に記載の携帯型電源装置であって、
前記ブッシュ部が、前記本体ケースよりも柔らかい素材であることを特徴とする携帯型電源装置。
【請求項６】
請求項４または５に記載の携帯型電源装置であって、
前記ブッシュ部は、前記ケーブル部を挟むように二分割に構成されてなることを特徴とする携帯型電源装置。
【請求項７】
請求項２から６のいずれか一に記載の携帯型電源装置であって、
前記収納凹部が、前記ケーブル部を収納する溝状のケーブル収納部と、前記ケーブル収
納部より幅広に形成されて、前記接続端子を収納する端子収納部とからなり、
前記端子収納部が、該回路基板の第一面に沿って前記本体ケースの外周面に形成されると共に、前記ケーブル収納部が該端子収納部から前記本体ケースの端面まで延長されてなることを特徴とする携帯型電源装置。
【請求項８】
請求項７に記載の携帯型電源装置であって、
前記本体ケースの端面まで延長された溝状のケーブル収納部が、前記端面の内側において、該円筒状の本体ケースの半径方向に湾曲されて、前記窪み部に連通されてなることを特徴とする携帯型電源装置。
【請求項９】
請求項７または８に記載の携帯型電源装置であって、
前記ケーブル部は横断面形状が円形状であって、該ケーブル部の先端に設けられた前記接続端子は外形を略平板状としており、さらに、
前記ケーブル収納部が該ケーブル部を嵌入可能な断面視略Ｕ字状の溝状で、前記端子収納部が該接続端子を前記回路基板と平行な姿勢で収納可能な断面視略コ字状の溝形であることを特徴とする携帯型電源装置。
【請求項１０】
請求項１から９のいずれか一に記載の携帯型電源装置であって、
前記本体ケースの端面における前記ケーブル部の引き出し位置が、該回路基板の片面側に形成された前記収納凹部から遠ざかるように該端面の中心から偏心されてなることを特徴とする携帯型電源装置。
【請求項１１】
請求項１から１０のいずれか一に記載の携帯型電源装置であって、さらに、
前記二次電池に充電するための充電コネクタを設けてなることを特徴とする携帯型電源装置。
【請求項１２】
請求項１から１１のいずれか一に記載の携帯型電源装置であって、
前記接続端子がライトニング端子であることを特徴とする携帯型電源装置。
【請求項１３】
請求項１から１２のいずれか一に記載の携帯型電源装置であって、
前記接続端子がＵＳＢ端子であることを特徴とする携帯型電源装置。
【請求項１４】
請求項１から１３のいずれか一に記載の携帯型電源装置であって、
前記二次電池がリチウムイオン二次電池であることを特徴とする携帯型電源装置。
【発明の詳細な説明】
【技術分野】
【０００１】
本発明は、携帯電話やスマートフォン等の携帯機器に接続されて、携帯機器に内蔵している電池を充電する携帯型電源装置に関し、とくに、携帯機器と一緒に持ち運びして、携帯機器の電池が放電された状態で、携帯機器に接続して、内蔵している電池を充電する携帯型電源装置に関する。
【背景技術】
【０００２】
携帯電話やスマートフォン、携帯音楽プレーヤなどの携帯型電子機器の普及に伴い、外出先で電池が切れた場合に充電する必要が生じており、近くに商用電源が無くともこれらの携帯機器を充電可能な、いわゆる緊急用、非常用の充電器（「緊急充電器」あるいは「非常用充電器」、「緊急給電器」、「ブースタ」等とも呼ばれる。）が開発されている（例えば特許文献１参照）。このような緊急充電器を、図１５に示す。この充電器は、中空状とした円筒形の本体３１０の内部に、市販の二次電池３０２（例えば単三電池を２本）を収納し、開口端をキャップ部３２０で閉塞すると共に、キャップ部３２０の端面にはＵＳＢ端子３２２を設けている。これによって、ＵＳＢ規格に従った放電が可能となる。
【０００３】
一方、充電対象のスマートフォン等の携帯型電子機器との接続を容易にするためには、緊急充電器にスマートフォンを直接接続するよりも、ケーブルを介在させて接続する方が便利なことが多い。また、ＵＳＢ端子も複数の規格が存在し、特に近年の携帯型電子機器は小型化、薄型化のためにマイクロＵＳＢ端子を採用しているものも多く、このためＵＳＢ端子の変換のためにもケーブルが必要となることがある。この場合、図１５に示す緊急充電器に、ＵＳＢケーブルを接続したり、あるいは図１６の変形例に示すように、ＵＳＢケーブル３０４をキャップ部３２０Ｂに直付けした構成とすることが考えられる。
【０００４】
しかしながら、このような緊急充電器はいずれも、使用時にはケーブルによって取り回しよく携帯型電子機器と接続できる反面、非使用時にはケーブルが邪魔になるという問題があった。すなわち、緊急充電器の携行時に、例えば鞄の中に入れて持ち運びしようとすれば、鞄の内部でケーブルが暴れ回って扱いに困る。また、ＵＳＢ端子とケーブルの付け根の部分が鞄の内部で大きく折曲されて、破損や内部の断線の原因となることも考えられる。これを防止するために、図１５のようにＵＳＢケーブルを着脱式として、ＵＳＢケーブルを巻き取って別途保管することも考えられるが、この場合は使用時に一々ＵＳＢケーブルをほどいて接続し直す手間がかかる。また、ＵＳＢケーブルを紛失する虞もあった。一方で図１６のようにＵＳＢケーブルを直付けとする方式では、このような接続の手間や紛失の虞がなく、使用時に速やかに利用できる利点が得られる反面、非使用時にケーブルが邪魔になるという問題を回避することができなかった。
【先行技術文献】
【特許文献】
【０００５】
【特許文献１】特開２０１１−０９６５８８号公報
【発明の概要】
【発明が解決しようとする課題】
【０００６】
本発明は、従来のこのような問題点を解決するために成されたものである。本発明の主な目的は、ケーブルを非使用時に邪魔にならないように収納可能とした携帯型電源装置を提供することにある。
【課題を解決するための手段及び発明の効果】
【０００７】
上記の目的を達成するために、本発明の携帯型電源装置によれば、円筒形の二次電池２と、前記二次電池２を内部に収納する一方向に延長された円筒形の本体ケース１、２０１と、前記二次電池２と電気的に接続され、該二次電池２を充電する充電回路３１、及び該二次電池２から放電するための放電回路３２を実装した平板状の回路基板３と、前記本体ケース１、２０１の端面１ｘ、２０１ｘから引き出されて、先端に接続端子５を設けたケーブル部４とを備える携帯型電源装置であって、前記ケーブル部４及び前記接続端子５の各横断面の面積は、前記円筒状の本体ケース１、２０１の横断面の面積の１／２よりもそれぞれ小さく、前記本体ケース１、２０１は、長手方向において、前記二次電池２を収納する電池収納部１Ａと、前記回路基板３を収納する基板収納部１Ｂに分割されると共に、前記基板収納部１Ｂの端面１ｘ、２０１ｘから前記ケーブル部４が引き出されており、さらに、前記本体ケース１、２０１は、前記基板収納部１Ｂにおいて、円筒状の横断面の略中央に位置して前記回路基板３が長手方向に延長して配置されると共に、該回路基板３の第一面３Ａ側に形成されるスペースであって、該本体ケース１、２０１表面に、前記ケーブル部４及び前記接続端子５を収納する収納凹部６、２０６が形成されてなることを特徴とする。
なお、本明細書において、ケーブル部、接続端子、及び本体ケースの横断面とは、それぞれケーブル部の延長方向、接続端子の延長方向、及び本体ケースの延長方向に対して垂直な面で切断された断面を意味するものとする。
【０００８】
上記構成により、非使用時においては、ケーブル部及び接続端子を本体ケースの収納凹部に収納してコンパクトに纏めることができ、携行性が高められる。また、円筒形の本体ケースの内部に、平板状の回路基板を配置することで生じるデッドスペースを利用して、ケーブル部と接続端子の収納空間を設けることにより、これらの収納スペースを本体ケースの外部に設けることなく、いいかえると本体ケースを大きくすることなく、また円筒形のデザインを大きく変更することなく、携行性を損なわずに、円筒形の本体ケースにケーブル部と接続端子を収めることが可能となる。
【０００９】
また、他の携帯型電源装置によれば、前記本体ケース１、２０１の端面１ｘ、２０１ｘに窪み部１０、２１０を形成して、前記窪み部１０、２１０において前記ケーブル部４を外部に引き出すことができる。
上記構成により、ケーブル部の引き出し部分であって、ケーブル部との接触部分を窪み部とすることで、従来の突出型のブッシュに比べて、ケーブル部の付け根部分における前後左右への折曲に対する負荷を軽減でき、繰り返しの屈曲に対する耐性を高めることができる。
【００１０】
また、他の携帯型電源装置によれば、前記窪み部１０、２１０は、端面１ｘ、２０１ｘ側の開口部の内面を中央凸な曲面状に面取りすることができる。
以上の構成により、窪み部の開口部を中央凸な曲面状に面取りすることで、本体ケースから引き出されるケーブル部の付け根部分が折曲される状態において、ケーブル部を中央凸の曲面に沿って湾曲させて、この部分にかかる負荷をより低減できる。
【００１１】
また、他の携帯型電源装置によれば、前記本体ケース１、２０１の端面１ｘ、２０１ｘの内側に、前記ケーブル部４の周囲をカバーするブッシュ部７、２０７を備えて、前記ブッシュ部７、２０７の端面１ｘ、２０１ｘ側に窪み部１０、２１０を形成することができる。
上記構成により、本体ケースの端面の内側にケーブル部の周囲を被覆するブッシュ部を設けると共に、このブッシュ部の端面側に窪み部を設けることで、本体ケースから引き出されるケーブル部の付け根部分が折曲される状態において、この部分が過度に折曲されるのを有効に防止して、破損や断線が生じる事態を低減できる。
【００１２】
また、他の携帯型電源装置によれば、前記ブッシュ部７、２０７は、前記本体ケース１、２０１よりも柔らかい素材とすることができる。
上記構成により、本体ケースから引き出されるケーブル部の付け根部分が過度に折曲されようとしても、本体ケースよりも柔らかい素材で形成されたブッシュ部によってケーブル部にかかる負担が和らげられて、破損や断線が生じる事態を低減できる。
【００１３】
また、他の携帯型電源装置によれば、前記ブッシュ部７、２０７は、前記ケーブル部４を挟むように二分割に構成することができる。
上記構成により、携帯型電源装置に組み立て時にブッシュ部にケーブル部を挿通することなく挟むように組み立て可能として、作業を省力化できる。
【００１４】
さらに、他の携帯型電源装置によれば、前記収納凹部６、２０６を、前記ケーブル部４を収納する溝状のケーブル収納部６１、２６１と、前記ケーブル収納部６１、２６１より幅広に形成されて、前記接続端子５を収納する端子収納部６２とで構成し、前記端子収納部６２を、該回路基板３の第一面３Ａに沿って前記本体ケース１、２０１の外周面に形成すると共に、前記ケーブル収納部６１、２６１を該端子収納部６２から前記本体ケース１、２０１の端面１ｘ、２０１ｘまで延長することができる。
上記構成により、溝状のケーブル収納部にケーブル部を収納しながら、ケーブル収納部より幅広に形成された端子収納部に簡単に接続端子を案内して収納できる。さらに、回路基板の第一面に沿って本体ケースの外周面に形成された端子収納部に接続端子を収納しながら、端子収納部から本体ケースの端面まで延長されたケーブル収納部にケーブルを収納することで、ケーブル部を本体ケースの外周面の内側にコンパクトに収納できる。
【００１５】
さらにまた、他の携帯型電源装置によれば、前記本体ケース１の端面１ｘまで延長された溝状のケーブル収納部６１を、前記端面１ｘの内側において、該円筒状の本体ケース１の半径方向に湾曲させて、前記窪み部１０に連通させることができる。
上記構成により、本体ケースの端面まで延長されるケーブル収納部を、端面の内側において本体ケースの半径方向に湾曲して窪み部に連通することで、本体ケースの端面において、窪み部から引き出されるケーブル部を端面の内側でケーブル収納部に案内して、ケーブル部を本体ケースの端面から外側に突出しないように収納できる。これにより、ケーブル部を本体ケースの外部に突出させることなく、本体ケースの外形の範囲内に収納してスッキリとした美しいデザインにできる。
【００１６】
さらにまた、他の携帯型電源装置によれば、前記ケーブル部４は横断面形状を円形状とし、該ケーブル部４の先端に設けられた前記接続端子５は外形を略平板状として、さらに、前記ケーブル収納部６１は該ケーブル部４を嵌入可能な断面視略Ｕ字状の溝状とし、前記端子収納部６２は該接続端子５を前記回路基板３と平行な姿勢で収納可能な断面視略コ字状の溝形とすることができる。
上記構成により、ケーブル部の横断面形状を円形状とすることで、ケーブル部の付け根部分における前後左右への折曲の自由度を高くしながら、ケーブル部をスムーズに湾曲させながら収納凹部に収納できる。また、ケーブル収納部を断面視略Ｕ字状の溝状とすることで、ケーブル部を傷つけることなくケーブル収納部の内面に沿って収納できる。さらに、平板状の接続端子を回路基板に平行な姿勢で端子収納部に収納することで、収納凹部を浅く形成しながら、しかも、接続端子を本体ケースの外部にはみ出させることなく理想的に収納できる。
【００１７】
さらにまた、他の携帯型電源装置によれば、前記本体ケース１、２０１の端面１ｘ、２０１ｘにおける前記ケーブル部４の引き出し位置を、該回路基板３の片面側に形成された前記収納凹部６、２０６から遠ざかるように該端面１ｘ、２０１ｘの中心から偏心させることができる。
上記構成により、本体ケースの端面におけるケーブル部の引き出し位置を、収納凹部から遠ざかるように端面の中心から偏心させることで、ケーブル部を収納凹部に収納する際のケーブル部を湾曲させる半径をある程度確保して屈曲の信頼性を高めることが可能となる。
【００１８】
さらにまた、他の携帯型電源装置によれば、前記二次電池に充電するための充電コネクタ３４を備えることができる。
【００１９】
さらにまた、他の携帯型電源装置によれば、前記接続端子をライトニング端子とすることができる。
【００２０】
さらにまた、他の携帯型電源装置によれば、前記接続端子をＵＳＢ端子とすることができる。
【００２１】
さらにまた、他の携帯型電源装置によれば、前記二次電池をリチウムイオン二次電池とすることができる。
【図面の簡単な説明】
【００２２】
【図１】本発明の実施例１にかかる携帯型電源装置の斜視図である。
【図２】図１の携帯型電源装置の底面斜視図である。
【図３】図２の携帯型電源装置の使用状態を示す底面斜視図である。
【図４】図１の携帯型電源装置のカバーケースを外した分解斜視図である。
【図５】図４の携帯型電源装置をさらに分解した分解斜視図である。
【図６】図１の携帯型電源装置の垂直縦断面図である。
【図７】図６の携帯型電源装置のＶＩＩ−ＶＩＩ線縦断面図である。
【図８】図６の携帯型電源装置のＶＩＩＩ−ＶＩＩＩ線縦断面図である。
【図９】図６の携帯型電源装置のＩＸ−ＩＸ線縦断面図である。
【図１０】本発明の実施例１にかかる携帯型電源装置のブロック図である。
【図１１】ケーブル部の引き出し部分の拡大分解斜視図である。
【図１２】図１１に示すケーブル部の引き出し部分を背面側から見た分解斜視図である。
【図１３】本発明の他の実施例にかかる携帯型電源装置の斜視図である。
【図１４】図１３の携帯型電源装置のケーブル部の収納状態を示す拡大断面図である。
【図１５】従来の携帯型電源装置の分解斜視図である。
【図１６】従来の他の携帯型電源装置の斜視図である。
【発明を実施するための形態】
【００２３】
以下、本発明の実施の形態を図面に基づいて説明する。ただし、以下に示す実施の形態は、本発明の技術思想を具体化するための携帯型電源装置を例示するものであって、本発明は携帯型電源装置を以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２４】
（実施例１）
図１〜図１０に、実施例１に係る携帯型電源装置を示す。これらの図において、図１は実施例１に係る携帯型電源装置を示す斜視図、図２は図１の携帯型電源装置の底面斜視図、図３は図２の携帯型電源装置の使用状態を示す底面斜視図、図４は図１の携帯型電源装置のカバーケースを外した分解斜視図、図５は図４の携帯型電源装置をさらに分解した分解斜視図、図６は図１の携帯型電源装置の垂直縦断面図、図７〜図９は図１の携帯型電源装置の垂直横断面図、図１０は携帯型電源装置のブロック図をそれぞれ示している。
【００２５】
これらの図に示す携帯型電源装置１００は、円筒形の二次電池２と、この二次電池２を内部に収納する一方向に延長された円筒状の本体ケース１と、二次電池２と電気的に接続されて、二次電池２を充電する充電回路３１、及び二次電池２から外部に放電するための放電回路３２を実装した平板状の回路基板３と、本体ケース１の端面１ｘから引き出されて、先端に接続端子５を設けたケーブル部４とを備えている。さらに、図に示す携帯型電源装置１００は、円筒状の本体ケース１の一方の端部であって、ケーブル部４が引き出される端部と反対側の端部に装着されて、この部分をカバーするカバーケース８を備えている。以上の携帯型電源装置１００は、図３と図１０に示すように、本体ケース１の端面１ｘから引き出されたケーブル部４の先端に設けた接続端子５を携帯機器９０に接続し、内蔵する二次電池２から放電される電力で、外部接続される携帯機器９０の内蔵電池９２を充電する。さらに、携帯型電源装置１００は、ケーブル部４及び接続端子５を使用しない状態では、図２に示すように、これ等を本体ケース１の表面に設けた収納凹部６に収納するようにしている。
【００２６】
（二次電池２）
円筒状の二次電池２は、リチウムイオン電池である。二次電池２をリチウムイオン電池とする構造は、充放電の容量を大きくできる特徴がある。ただし、二次電池にはリチウムイオン電池に代わって、ニッケル水素電池やニッケルカドミウム電池などの充電できる全ての電池とすることができる。二次電池２は、充電される携帯機器の内蔵電池を満充電できる容量よりも大きい容量の電池であって、携帯機器の内蔵電池を１回以上満充電できる容量とする。
【００２７】
図の携帯型電源装置１００は、円筒状の二次電池２として１本の単三型電池を本体ケース１に収納している。ただ、本体ケースに収納する二次電池は、２本以上とすることもできる。複数の二次電池は、一方向に延長された状態で本体ケースに収納することができる。複数の二次電池を内蔵する携帯型電源装置は、これ等の電池を直列にすることも、並列に接続することもできる。また、二次電池は、単三型電池に限らず単四型電池や、それよりも大きいサイズの電池とすることも可能である。
【００２８】
（本体ケース１）
本体ケース１は中空の円筒状であり、内部に円筒状の二次電池２と平板状の回路基板３とを収納している。本体ケース１は、図１ないし図５に示すように、二次電池２の軸方向に延長された円筒状に外周面が形成されて、両端を円形の端面壁１３で閉塞してなる形状としている。本体ケース１は、内蔵される二次電池２の絶縁を維持するため、絶縁性の部材で構成される。本体ケース１は、例えば、プラスチックなどの樹脂製とする。
【００２９】
円筒状の本体ケース１は、図４ないし図６に示すように、長手方向において、円筒型の二次電池２を収納する電池収納部１Ａと、回路基板３を収納する基板収納部１Ｂに分割されている。図に示す本体ケース１は、図において左側のほぼ半分を電池収納部１Ａとして二次電池２を収納し、右側のほぼ半分を基板収納部１Ｂとして回路基板３を収納している。携帯型電源装置１００は、本体ケース１の基板収納部１Ｂの端面１ｘからケーブル部４が引き出されている。
【００３０】
本体ケース１の電池収納部１Ａは、図６と図７に示すように、二次電池２を収納できる内形に形成されている。図の本体ケース１は、円筒形の二次電池２を収納するので、この二次電池２をスムーズに収納でき、かつ収納した二次電池２が内部でがたつかないように保持できるように、電池収納部１Ａの内形を決定している。ここでは、１本の単三型の二次電池２を収納できるよう、内径、外径、全長のクリアランスが設計される。さらに、図の本体ケース１は、電池収納部１Ａの外径を二次電池２の直径よりもわずかに太い程度に抑えており、必要最小限の小型サイズに抑えた棒状としている。このように、小型で軽量であることは、携帯型電源装置を携行する上で有利となり、また、スティック型でシンプルなデザイン性も実現できる。
【００３１】
本体ケース１の基板収納部１Ｂは、図６、図８、及び図９の断面図に示すように、円筒状の本体ケース１の横断面の略中央に位置して、本体ケース１の長手方向に延長して平板状の回路基板３を収納している。円筒状の本体ケース１は、横断面の中央部に回路基板３を配置することで、回路基板３の両側のスペースであって、円弧状の外周面との間にデッドスペースが形成される。図に示す本体ケース１は、このデッドスペースを有効に利用するように、回路基板３の第一面３Ａ側（図において下面側）のスペースであって、本体ケース１の表面に、ケーブル部４及び接続端子５を収納する収納凹部６を形成している。これにより、本体ケース１の外形を大きくすることなく、また円筒形のデザインを大きく変更することなく、円筒形の本体ケース１にケーブル部４と接続端子５を収納できるようにしている。収納凹部６の構造については、詳細には後述する。
【００３２】
本体ケース１は、図５の分解斜視図に示すように、内部空間に二次電池２と回路基板３を収納するために、長手方向に二分割されている。この本体ケース１は、二分割された第１ケース１１と第２ケース１２とを開口縁で連結して全体を中空状としている。本体ケース１は、好ましくは、図において上下の中間で分割されて第１ケース１１と第２ケース１２に二等分される。第１ケース１１と第２ケース１２は、電池収納部１Ａに二次電池２を収納し、基板収納部１Ｂに回路基板３を収納する状態で互いに開口縁で連結されて、円筒状の本体ケース１を形成する。
【００３３】
第１ケース１１と第２ケース１２は、図６ないし図９、図１１、及び図１２に示すように、互いに位置決めしながら連結できる構造としている。これらの図の本体ケース１は、電池収納部１Ａにおいて、第１ケース１１の開口縁の内側に沿って接合リブ２１を設けて、第２ケース１２の開口縁の内側に沿って、接合リブ２１に対向する接合凹部２２を設けている。さらに、図の本体ケース１は、基板収納部１Ｂにおいて、第１ケース１１の開口縁の内側に沿って係止リブ２３を設けて、第２ケース１２の開口縁部の内側には、係止リブ２３を係止する係止凸部２４を設けている。図に示す係止凸部２４は、開口縁部の内面側に突出する係止フックとしており、係止リブ２３には、この係止フックを係止する係止孔２３Ａを開口して設けている。以上の第１ケース１１と第２ケース１２は、接合リブ２１が接合凹部２２に案内されると共に、係止リブ２３の係止孔２３Ａに係止凸部２４が案内されて互いに連結される。第１ケース１１と第２ケース１２は、基板収納部１Ｂにおける係止リブ２３と係止凸部２４の係止構造によって、互いに外れないように連結される。第１ケース１１と第２ケース１２は、電池収納部１Ａにおいては接合リブ２１と接合凹部２２とが係止されないが、基板収納部１Ｂにおいて係止構造で連結されることで、分離することなく連結される。とくに、図に示す携帯型電源装置１００は、互いに連結された第１ケース１１と第２ケース１２の電池収納部１Ａの外側に、後述するカバーケース８が装着されるので、互いに分離することなく確実に連結される。
【００３４】
以上の本体ケース１は、基板収納部１Ｂにおいて、第１ケース１１と第２ケース１２の開口面と平行な面内に平板状の回路基板３を配置している。すなわち、本体ケース１は、回路基板３の第一面３Ａ（図において下面）側に第１ケース１１を配置し、第二面３Ｂ（図において上面）側に第２ケース１２を配置して回路基板３を両面から挟着する状態で基板収納部１Ｂに回路基板３を収納している。
【００３５】
図の本体ケース１は、回路基板３を基板収納部１Ｂの中央部の定位置に保持できるように、第１ケース１１と第２ケース１２の開口部の内側に突出する支持リブ２５、２６を一体成形して設けている。支持リブ２５、２６は、水平姿勢の回路基板３に対して垂直な姿勢に直立させている。この本体ケース１は、外周面を円弧状とする第１ケース１１と第２ケース１２の内面に垂直姿勢の支持リブ２５、２６を一体成形することで、円弧状の内部空間に、これらを効率よく配置しつつ、本体ケース１の剛性を高めることができる。第１ケース１１と第２ケース１２の支持リブ２５、２６は、その先端縁を回路基板３に当接ないし接近させる状態として、第１ケース１１の支持リブ２５と第２ケース１２の支持リブ２６とで回路基板３を両面から保持して基板収納部１Ｂの定位置に保持する。なお、支持リブ２５、２６の上端は必ずしも回路基板３の表面と当接させる必要はない。とくに、回路基板３の表面には各種の電子部品が実装されているため、直接当接させるとこれらの電子部品を破損したり短絡を生じる虞があり、また電子部品の放熱性を考慮する観点からも、若干離間させることが好ましい。
【００３６】
さらに、図に示す本体ケース１は、回路基板３を定位置に連結するために、回路基板３の中央部に開口された位置決め孔３ａに挿入される位置決めボス２７を第１ケース１１の内面側に一体成形して設けると共に、この位置決めボス２７に連結される連結ボス２８を第２ケース１２の内面側に一体成形して設けている。第１ケース１１と第２ケース１２は、円筒状の位置決めボス２７の内側に連結ボス２８が挿入されて互いに定位置で連結される。回路基板３は、位置決め孔３ａに位置決めボス２７が案内される状態で、第１ケース１１の支持リブ２５と第２ケース１２の支持リブ２６とで両面から保持されて基板収納部１Ｂの定位置に保持される。さらに、第１ケース１１と第２ケース１２は、図６に示すように、位置決めボス２７の中心において、第１ケース１１の収納凹部６の底面６３を貫通する止ネジ２９が連結ボス２８にねじ込まれて、ネジ止めにより強固に固定される。
【００３７】
（回路基板３）
回路基板３は、平板状のガラスエポキシ基板であり、二次電池２を充電するための充電回路３１（図１０参照）、及び外部接続される携帯機器９０に二次電池２から放電するための放電回路３２（図１０参照）等を実現する電子部品を表面や裏面に実装している。さらに、図５と図８に示す回路基板３は、内蔵する二次電池２を充電するための充電コネクタ３４を実装している。
【００３８】
回路基板３は、各種の電子部品を実装するため、ある程度の表面積が必要となる。そこで、図６、図８、及び図９に示す回路基板３は、円筒形の本体ケース１の横断面における略中央に配置することで横幅を確保し、本体ケース１の長手方向に延長して配置することで長さを確保して全体の面積を大きくしている。すなわち、回路基板３は、本体ケース１の内部で断面円形の直径方向に沿って配置して広い面積を確保している。なお、ここで「直径方向に沿って」配置するとは、必ずしも直径と一致させることを要するものでなく、直径方向と平行であれば足りる意味である。とくに、本体ケース１は、図８に示すように、回路基板３に実装した充電コネクタ３４を直径方向に配置して側面から表出させるため、回路基板３を直径方向と平行に、若干オフセットさせて配置させている。
【００３９】
（ケーブル部４）
ケーブル部４は、図３と図５に示すように、本体ケース１の端面１ｘから外部に引き出されており、先端には、外部の携帯機器に接続される接続端子５を接続している。ケーブル部４及び接続端子５の各横断面の面積は、円筒状の本体ケース１の横断面の面積の１／２よりもそれぞれ小さくしており、円筒状の本体ケース１の略中央に配置される回路基板３の第一面３Ａ側に形成されるスペースに収納できるようにしている。
【００４０】
ケーブル部４は、複数のリード線４１をプラスチックで被覆して保護している。プラスチックで被覆される複数のリード線４１は、一端がケーブル部４の先端に設けた接続端子５に接続されると共に、他端が本体ケース１の内部において回路基板３に接続されている。リード線４１を被覆するプラスチックは、図１１と図１２に示すように、本体ケース１側の端部において、固定ブロック４２を一体成形して設けており、この固定ブロック４２を本体ケース１の内面に設けた固定部４３、４４に嵌合させて固定している。図１１と図１２の本体ケース１は、固定ブロック４２の第一面に設けた固定凸部４２Ａを嵌入する溝状のリブ４５からなる固定部４３を第１ケース１１の内面に一体成形すると共に、固定ブロック４２の第二面側の凸部４２Ｂを嵌入する固定部４４を第２ケース１２の内面に設けている。図１２に示す第２ケース１２は、内面に突出する複数のリブ４６を一体成形して設けて、固定ブロック４２の凸部４２Ｂを嵌入する固定部４４を構成している。ケーブル部４は、固定ブロック４２の固定凸部４２Ａが第１ケース１１の固定部４３に、固定ブロック４２の凸部４２Ｂが第２ケース１２の固定部４４に案内される状態で第１ケース１１と第２ケース１２が互いに連結されて、本体ケース１の定位置に固定されると共に、ケーブル部４が本体ケース１から抜けるのが防止される。
【００４１】
図のケーブル部４は、断面形状を円形状としている。断面形状を円形状とするケーブル部４は、本体ケース１の外側に引き出されて使用する状態で、ケーブル部４の付け根部分における前後左右への折曲の自由度を高くしながら、ケーブル部４をスムーズに収納凹部６に収納できる。ただ、ケーブル部は断面形状を長円形状や略楕円形状、あるいは８の字状として、実質的に扁平部を有する形状とすることもできる。断面形状を以上の形状とするケーブル部は、長径方向よりも短径方向への折曲に対する負荷の方が小さくなり、この方向への折曲が容易となる。このため、このケーブル部は、短径方向に折曲する状態でケーブル収納部に収納できる姿勢となるように本体ケースから引き出すと共に、平板状の接続端子の幅方向がケーブル部の長径方向となるようにケーブル部の先端に接続端子を設ける。
【００４２】
（接続端子５）
接続端子５は、全体の形状を略平板状として、ケーブル部４の先端に接続されている。図の接続端子５は、複数のリード線４１が接続される端子部５Ａと、この端子部５Ａを先端から突出させる本体部５Ｂとからなる。本体部５Ｂは、プラスチック等の絶縁材で成形されており、端子部５Ａを絶縁しながら外部の携帯機器に電気接続できるようにしている。図に示す接続端子５は、ライトニング端子としている。したがって、この携帯型電源装置は、ライトニング端子を接続できる全ての携帯機器に電力を供給することができる。ただ、接続端子は、ＵＳＢ端子とすることも、あるいは、外部接続される携帯機器に電気接続可能な他の端子構造とすることもできる。
【００４３】
（窪み部１０）
以上の携帯型電源装置１００は、基板収納部１Ｂの端面１ｘからケーブル部４を引き出しているが、図１ないし図４、及び図６に示すように、端面１ｘにおけるケーブ部４の引き出し部分を従来の突出型のブッシュとすることなく、本体ケース１の端面１ｘに設けた窪み部１０としている。すなわち、携帯型電源装置１００は、本体ケース１の端面１ｘに窪み部１０を形成して、この窪み部１０においてケーブル部４を外部に引き出している。図の窪み部１０は、端面１ｘ側の開口縁から内側に向かって開口面積が次第に小さくなるように形成されており、この窪み部１０の中央部分からケーブル部４を引き出している。さらに、図の窪み部１０は、端面１ｘ側の開口部の内面が中央凸な曲面状となるように面取りして、その内面形状をラッパ状としている。このように、ケーブル部４の引き出し部分を窪み部１０とする構造は、従来の突出型のブッシュに比べて、ケーブル部４の付け根部分における前後左右への折曲に対する負荷を軽減できる。とくに、窪み部１０の開口部を中央凸な曲面状に面取りすることで、ケーブル部４の引き出し部分を中央凸の曲面に沿って湾曲させて、この部分にかかる負荷をより低減できる。ただ、窪み部は、開口部の面取り形状を中央凸な曲面状には特定しない。窪み部は、ケーブル部の折曲による付け根部分の負荷を軽減できる他のすべての内面形状とすることができる。
【００４４】
（ブッシュ部７）
さらに、携帯型電源装置１００は、本体ケース１の端面１ｘの内側にケーブル部４の周囲をカバーするブッシュ部７を備えており、このブッシュ部７の端面１ｘ側に窪み部１０を形成している。図の携帯型電源装置１００は、本体ケース１と別部材で形成されたブッシュ部７を端面１ｘの内側に配置してケーブル部４の周囲をカバーしている。本体ケース１と別部材で形成されるブッシュ部７は、図１１と図１２に示すように、本体ケース１の端面壁１３に設けた開口部１３Ａに配置されて、端面１ｘの内側の定位置に固定される。ただ、携帯型電源装置は、ブッシュ部を本体ケースと別部材で形成することなく、本体ケースに一体成形して設けることもできる。本体ケースに一体成形されるブッシュ部は、例えば、第１ケースと第２ケースに二分割して設けられて、第１ケースと第２ケースを互いに連結する状態でケーブル部を両側から挟着してケーブル部の周囲をカバーすることができる。
【００４５】
本体ケース１と別部材で形成されるブッシュ部７は、ケーブル部４を保護できるように、好ましくは、本体ケース１よりも柔らかい素材で成形される。ここで、本体ケース１は、内部に二次電池２や回路基板３を収納した状態で全体の形状を所定の円筒状に保持できる程度の強度を有する硬質のプラスチックで成形される。このようなプラスチックとして、例えば、ポリカーボネートやＡＢＳ等が使用できる。一方で、ブッシュ部７は、ケーブル部４を保護するために、本体ケース１よりも柔らかい素材、例えば、エラストマーやシリコンゴム等の軟質プラスチックで形成される。
【００４６】
さらに、ブッシュ部７は、図５、図６、図１１及び図１２に示すように、ケーブル部４の全周をカバーできるように分割されている。これらの図のブッシュ部７は、ケーブル部４を両側から挟んでカバーする第一分割片７１と第二分割片７２とに二分割している。図に示すブッシュ部７は、回路基板３と略平行な面で二分割されており、第１ケース１１側に配置される第一分割片７１と、第２ケース１２側に配置される第二分割片７２とで構成されている。第一分割片７１と第二分割片７２は、ケーブル部４の付け根部分を両側から挟着する状態で互いに連結されて、ケーブル部４の付け根部分をカバーする。
【００４７】
第一分割片７１と第二分割片７２は、図１１と図１２に示すように、端面１ｘの内側においてケーブル部４の付け根部分を挟着して保持する保持筒部７１Ａ、７２Ａと、この保持筒部７１Ａ、７２Ａの端面１ｘ側に形成されて、ケーブル部４の引き出し部分を保護する湾曲支持部７１Ｂ、７２Ｂとからなる。保持筒部７１Ａ、７２Ａは、図６に示すように、第一分割片７１と第二分割片７２とを互いに連結する状態で、対向する半円筒状の内面同士でケーブル部４の付け根部分を両側から挟着して筒部を形成し、この筒部によってケーブル部４の周囲をカバーする状態で保持している。また、保持筒部７１Ａ、７２Ａの端面側に形成される湾曲支持部７１Ｂ、７２Ｂ同士は、本体ケース１の端面壁１３に開口された開口部１３Ａに配置されて、端面１Ｘの内側に窪み部１０を形成している。
【００４８】
第二分割片７２の湾曲支持部７２Ｂは、図１２に示すように、本体ケース１の長手方向に対して垂直な横断面における内面形状を半円状としている。内面形状を半円状とする湾曲支持部７２Ｂは、端面１ｘに向かって開口面積が次第に大きくなるように形成されている。とくに、図の湾曲支持部７２Ｂは、半円の中心を通る縦断面における内面形状を、中央凸な曲面状としてラッパ状に開口された形状としている。これにより、ケーブル部４の引き出し部分を中央凸の曲面に沿って湾曲させて、この部分にかかる負荷を低減できるようにしている。
【００４９】
また、第一分割片７１の湾曲支持部７１Ｂは、図１１と図１２に示すように、本体ケース１の端面１ｘにおいて、本体ケース１の長手方向から半径方向にわたってケーブル部４を引き出しできるように、横方向に開口された開放部２０を形成している。開放部２０は、ケーブル部４を案内できる溝状に形成されており、長手方向に引き出されたケーブル部４を半径方向に湾曲させて案内できるようにしている。図に示す湾曲支持部７１Ｂは、回路基板３と平行な垂直断面における断面形状を略Ｕ字状とすると共に、Ｕ字状の上端部の対向する内面を中央凸な曲面状として開口縁に向かって開口面積を大きくしている。これにより、ケーブル部４をスムーズに開放部２０に案内しながら保護できるようにしている。さらに、湾曲支持部７１Ｂは、断面視Ｕ字状の底面を、図６に示すように、保持筒部７１Ａの内面に連続する曲面状に成形しており、ケーブル部４をこの底面に沿って湾曲させる状態で半径方向に引き出しできるようにしている。この開放部２０には、後述するケーブル収納部６１の湾曲部６１Ａが連結されており、窪み部１０から引き出されるケーブル部４を半径方向に湾曲させることにより、端面１ｘから突出させることなくケーブル収納部６１に案内できるようにしている。
【００５０】
第一分割片７１と第二分割片７２は、図１１と図１２に示すように、対向面に設けた連結凸部７３と連結凹部７４を介して定位置で連結される。図の第一分割片７１と第二分割片７２は、保持筒部７１Ａ、７２Ａと湾曲支持部７１Ｂ、７２Ｂの対向面の一方に連結凸部７３を他方に連結凹部７４を設けており、連結凸部７３を連結凹部７４に嵌合させて互いに連結している。
【００５１】
さらに、端面１ｘの開口部１３Ａに配置されるブッシュ部７は、嵌着構造によって本体ケース１の定位置に固定されている。図に示すブッシュ部７は、第１ケース１１側に突出する嵌合リブ７５と、第２ケース１２側に突出する嵌合凸部７６を一体成形して設けている。図のブッシュ部７は、第一分割片７１の保持筒部７１Ａの外側に突出して嵌合リブ７５を設けており、第二分割片７２の保持筒部７２Ａの外側に突出して嵌合凸部７６を設けている。本体ケース１は、嵌合リブ７５を嵌入する嵌入溝部１５を第１ケース１１の内面に設けている。図に示す第１ケース１１は、開口面に対して垂直な姿勢で直立する一対の溝型リブ１７を一体成形して設けており、この溝型リブ１７を嵌入溝部１５として、第一分割片７１の嵌合リブ７５を嵌入して連結している。また、本体ケース１は、嵌合凸部７６を嵌入する嵌入凹部１６を第２ケース１２の内面に設けている。図に示す第２ケース１２は、外周面の内面に低い円筒状の筒部１８を形成して、この筒部１８の内側を嵌入凹部１７としている。第二分割片７２に設けた嵌合凸部７６は、この嵌入凹部１６に嵌入できる外形としており、この嵌合凸部７６を嵌入凹部１６に嵌入して第二分割片７２を第２ケース１２の定位置に配置している。
【００５２】
以上の構造のブッシュ部７は、第一分割片７１と第二分割片７２でケーブル部４の付け根部分を両側から挟着すると共に、第一分割片７１の嵌合リブ７５が第１ケース１１の嵌入溝部１５に嵌入され、第二分割片７２の嵌合凸部７６が第２ケース１２の嵌入凹部１６に嵌入される状態で第１ケース１１と第２ケース１２が連結されて、本体ケース１の定位置に固定される。
【００５３】
さらに、図の携帯型電源装置１００は、本体ケース１の端面１ｘにおけるケーブル部４の引き出し位置を、回路基板３の片面側に形成される収納凹部６から遠ざかるように端面１ｘの中心から偏心させている。すなわち、図６においては、ケーブル部４の引き出し位置を、本体ケース１の長手方向の中心線ｍよりも上方にずらしている。このように、端面１ｘにおけるケーブル部４の引き出し位置を、収納凹部６から遠ざかるように偏心させることで、ケーブル部４を収納凹部６に収納する際に湾曲されるケーブル部４の曲率半径を大きくして、ケーブル部４の屈曲に対する信頼性を高めることができる。
【００５４】
（収納凹部６）
さらに、携帯型電源装置１００は、基板収納部１Ｂの端面１ｘから引き出されたケーブル部４とこのケーブル部４の先端に設けられた接続端子５とを収納可能な収納凹部６を本体ケース１表面に設けている。図４と図６の本体ケース１は、回路基板３の第一面３Ａ側に配置される第１ケース１１の表面に、長手方向に延長して収納凹部６を設けている。図に示す収納凹部６は、ケーブル部４を収納する溝状のケーブル収納部６１と、このケーブル収納部６１よりも幅広に形成されて、接続端子５を収納する端子収納部６２とで構成されている。ケーブル収納部６１と端子収納部６２は本体ケース１の延長方向に連結されており、本体ケース１の端面１ｘから引き出されたケーブル部４をケーブル収納部６１に収納すると共に、ケーブル部４の先端に設けられた接続端子５を端子収納部６２に収納する構造としている。
【００５５】
（ケーブル収納部）
ケーブル収納部６１は、ケーブル部４が本体ケース１の外側に突出しないように収納できる十分な深さを有している。図８に示すケーブル収納部６１は、ケーブル部４を傷つけることなく、スムーズに案内できるように、断面形状をＵ字状としている。ケーブル収納部６１は、一端が端子収納部６２に連結されると共に、他端が本体ケース１の端面１ｘまで延長されて、端面１ｘ側に開口されている。このように、ケーブル収納部６１の一端を端面１ｘまで延長して開口する構造は、ケーブル部４を本体ケース１の外周面から外側に突出させることなく本体ケース４に収納できる特徴がある。
【００５６】
さらに、図３、図６、及び図１２に示す携帯型電源装置１００は、本体ケース１の端面１ｘまで延長された溝状のケーブル収納部６１を、端面１ｘの内側において円筒状の本体ケース１の半径方向に湾曲させて窪み部１０に連結している。図の携帯型電源装置１００は、本体ケース１の端面１ｘに配置されるブッシュ部７の片側をケーブル収納部６１に向かって開放して、ブッシュ部７に形成された開放部２０とケーブル収納部６１の湾曲部６１Ａとを端面１ｘの内側において連結している、このように、本体ケース１の端面１ｘにおいて、ケーブル収納部６１を湾曲させて窪み部１０に連結させる構造は、窪み部１０から引き出されるケーブル部４を端面１ｘの内側でケーブル収納部６１に案内して、ケーブル部４を端面１ｘから外側に突出しないようにコンパクトに収納できる特徴がある。
【００５７】
（端子収納部）
端子収納部６２は、回路基板３の第一面３Ａに沿って本体ケース１の外周面に形成されている。端子収納部６２は、略平板状の接続端子５を回路基板３と平行な姿勢で収納しながら、接続端子５が本体ケース１の外側に突出しないように収納できる幅と深さとを有している。端子収納部６２は、図９に示すように、平板状の接続端子５を収納可能な断面視略コ字状の溝形としている。溝形の端子収納部６２は、横断面における内形を、接続端子５の本体部５Ｂの横断面における外形とほぼ等しくしており、接続端子５の本体部５Ｂを端子収納部６２に案内した状態で、端子収納部６２内を長手方向にスライドできるようにしている。端子収納部６２の底面６３は、基板収納部１Ｂに収納される回路基板３と平行な姿勢となるように形成されており、接続端子５を回路基板３と平行な姿勢で収納できるようにしている。
【００５８】
さらに、端子収納部６２は、図３、図６、及び図９に示すように、ここに案内された接続端子５を定位置に保持するために、先端面の内面に、接続端子５の端子部５Ａを嵌入させる嵌入凹部６４を設けると共に、先端側の開口縁に沿って接続端子５の本体部５Ｂの両側縁を保持する保持部６５を設けている。図の本体ケース１は、端子収納部６２の対向する開口縁に沿って、内側に突出するひさしを設けて保持部６５としている。ひさしである保持部６５は、端子収納部６２の先端部に案内された接続端子５の本体部５Ｂが開口方向に突出するのを阻止して、接続端子５を端子収納部６２の内部に収納する。この端子収納部６２は、保持部６５を設けていないケーブル収納部６１側の領域に開口部から接続端子５を案内した後、端子収納部６２の内面に沿って接続端子５を先端方向にスライドさせて保持部６５の内側に案内する。端子収納部６２の先端部に案内される接続端子５は、本体部５Ｂが保持部６５であるひさしの内側に挿入されると共に、先端の端子部５Ａが嵌入凹部６４に嵌入されて定位置に保持される。
【００５９】
さらに、図３と図６に示す端子収納部６２は、先端側の定位置に配置された接続端子５の後端を弾性的に係止するロック機構６６を備えている。図に示すロック機構６６は、本体ケース１の内部から端子収納部６２の溝内に向かって弾性的に突出する係止フック６７を備えており、この係止フック６７を端子収納部６２内に突出させて接続端子５の後端を係止する構造としている。ロック機構６６は、図５に示すように、本体ケース１の内部に配置される弾性アーム６８を備えており、この弾性アーム６８の先端に設けた係止フック６７を、端子収納部６２の底面６３に開口された貫通孔６３ａから溝内に弾性的に突出させている。このロック機構６６は、接続端子５を端子収納部６２の先端部に配置する状態では、底面６３の貫通孔６３ａから弾性的に突出する係止フック６７で接続端子５の後端を係止して、接続端子５が抜けないように保持する。端子収納部６２から接続端子５を引き出す際には、係止フック６７を本体ケース１の内部に弾性的に引き込ませて、接続端子５をケーブル収納部６１側の領域にスライドさせる。
【００６０】
（他の実施例）
以上の携帯型電源装置は、窪み部１０のケーブル収納部４側に開放部２０を設けると共に、本体ケース１の端面１ｘまで延長されるケーブル収納部６１を湾曲させて、ケーブル収納部６１の湾曲部６１Ａと窪み部１０の開放部２０とを端面１ｘの内側において連結しているが、携帯型電源装置は、図１３と図１４に示すように、ケーブル収納部２６１と窪み部２１０とを端面２０１ｘの内側で連結させることなく、端面２０１ｘ側に開口させることもできる。図１３と図１４の携帯型電源装置２００は、本体ケース２０１の端面２０１ｘに設けた窪み部２１０をケーブル収納部２６１側に開放することなく、端面２０１ｘ側にのみ開口している。すなわち、図に示す携帯型電源装置２００は、窪み部２１０の形状を略円錐状として、端面２０１ｘ側の開口部の内面が中央凸な曲面状となるように面取りして、その内面形状をラッパ状としている。図１４の携帯型電源装置２００も、本体ケース２０１の端面の内側に、第一分割片２７１と第二分割片２７２に二分割されてなるブッシュ部２０７を配置して窪み部２１０を形成している。さらに、図の携帯型電源装置２００は、溝状のケーブル収納部２６１の一端を本体ケース２０１の端面まで延長するが、半径方向に湾曲させることなく、端面２０１ｘに開口している。
【００６１】
以上の構造の携帯型電源装置２００も、ケーブル部４の引き出し部に設けた窪み部２１０により、端面２０１ｘから引き出されて前後左右に折曲されるケーブル部２１０の引き出し部分を保護できる。また、図１４に示すように、端面２０１ｘから引き出されるケーブル部４を湾曲させる状態で収納凹部２０６に案内して本体ケース２０１に収納できる。とくに、収納凹部２０６に収納されるケーブル部４及び接続端子５を本体ケース２０１の外周面から突出させることなく収納できる。
なお、図１３と図１４に示す携帯型電源装置において、実施例１の携帯型電源装置と同じ構成要素に関しては、同符号を付してその詳細な説明は省略する。
【００６２】
（カバーケース８）
カバーケース８は、有底の金属筒で、本体ケース１の電池収納部１Ａを挿入する状態でスライドさせて、抜き差し自在に脱着できるように本体ケース１に連結している。カバーケース８は、強度の向上及びデザインの観点から、アルミニウムなどの金属製とする。このように、本体ケース１と別部材からなるカバーケース８を本体ケース１に着脱自在に装着する構造は、本体ケース１の色やデザインを変更することなく、カバーケース８の色やデザインを種々に変更することで、簡単かつ容易にユーザーの好みの外観にアレンジできる。
【００６３】
携帯型電源装置１００は、本体ケース１の電池収納部１Ａにカバーケース８を着脱自在に装着している。図の本体ケース１は、基板収納部１Ｂの外周面よりも電池収納部１Ａの外周面をわずかに細く形成して挿入部１４とし、この挿入部１４をカバーケース８に挿入して本体ケース１の端部をカバーケース８で被覆している。図の本体ケース１は、基板収納部１Ｂの外周面とカバーケース８が挿入される挿入部１４との境界部分に段差１９を設けている。段差１９は、カバーケース８を形成する金属の厚さとほぼ等しくしており、挿入部１４にカバーケース８を装着する状態で、基板収納部１Ｂの外形と挿入部１４に装着されたカバーケース８の外形とがほぼ等しくなるようにしている。
【００６４】
本体ケース１の挿入部１４は、上下面に長手方向に沿ってガイド溝１４ａを設けており、カバーケース８の内面に設けたガイド凸部８ａを案内しながらスライドできる構造としている。ガイド凸部８ａは、長手方向に伸びる凸条としている。図７に示す携帯型電源装置１００は、カバーケース８の挿入姿勢を特定できるように、挿入部１４の上面と下面とでガイド溝１４ａの位置を非対称にずらしている。挿入部１４の下面側に設けるガイド溝１４ａは下面の中央に沿って設けて、挿入部１４の上面側に設けるガイド溝１４ａは上面の中央から片側に偏在して設けている。したがって、挿入部１４が挿入されるカバーケース８も、上下のガイド溝１４ａに対応する位置にガイド凸部８ａを設けている。これにより、カバーケース８は挿入部１４に対して特定の姿勢でのみ挿入して連結される。
【００６５】
なお、以上の携帯型電源装置１００は、外形を円筒状としているが、本体ケース１及びカバーケース８は完全な真円状ではなく、図７ないし図９に示すように、対向する上下面を扁平面３０とする略円筒状としている。本体ケース１及びカバーケース８を以上の形状とする携帯型電源装置１００は、平面上に載置する状態でコロコロと転がることなく、扁平面３０を下面とする姿勢で転動が停止される。このため、表面が滑らかな平滑面や多少傾斜する平面上に載置する状態においても、安定して保持される。
【００６６】
以下、回路基板３に実装される電子部品により構成される回路構成について、図１０に基づいて詳述する。図１０は、携帯型電源装置１００のブロック図を示している。携帯型電源装置１００は、充電コネクタ３４から入力される電力で二次電池２を充電する充電回路３１と、この充電回路３１で充電された二次電池２の電圧を所定の電圧に安定化して出力する放電回路３２であるＤＣ／ＤＣコンバータ３３とを回路基板３に実装している。
【００６７】
（充電回路３１）
充電回路３１は、充電コネクタ３４に接続される外部電源（充電アダプタ）９５から供給される電力で二次電池２を充電する。充電回路３１は、充電コネクタ３４に外部電源９５が接続されると、このことを入力電流、または入力電圧から検出できる。充電コネクタ３４に外部電源９５が接続されると、充電コネクタ３４から充電回路３１に電力が供給されるからである。充電回路３１は、充電コネクタ３４から電力が入力される状態において、この電力で二次電池２を充電する。二次電池２をリチウムイオン二次電池とする携帯型電源装置にあっては、充電回路３１が定電流定電圧充電して二次電池２を充電する。また、二次電池をニッケル水素電池やニッケルカドミウム電池とする携帯型電源装置にあっては、充電回路が定電流充電して二次電池を充電する。さらに、充電回路３１は、二次電池２が所定の容量まで充電されると充電を停止する。
【００６８】
（放電回路３２）
放電回路３２は、二次電池２の電圧を所定の電圧に安定化して出力する。このような放電回路３２として、電圧調整回路であるＤＣ／ＤＣコンバータ３３を使用できる。ＤＣ／ＤＣコンバータ３３である放電回路３２は、二次電池２から供給される電力を、外部接続される携帯機器９０に供給する最適な電圧に変換して出力する。図１０に示す携帯型電源装置１００は、二次電池２とＤＣ／ＤＣコンバータ３３との間に、電源スイッチ３５を接続している。この電源スイッチ３５は、制御回路３６でオンオフに制御される。放電回路３２は、電源スイッチ３５がオンに切り換えられる状態で、二次電池２から電力が供給されて動作状態となり、出力側に接続している接続端子５に安定化された電力を供給する。また、放電回路３２は、電源スイッチ３５がオフに切り換えられると、二次電池２からの電力供給が停止されて非動作状態となり、接続端子５への電力供給が停止される。
【００６９】
（制御回路３６）
制御回路３６は、操作スイッチ５０から入力される信号で電源スイッチ３５をオンオフに制御し、あるいは、二次電池２の放電状態によって電源スイッチ３５をオフに切り変える。制御回路３６は、操作スイッチ５０から一定の時間オン信号が入力されると電源スイッチ３５をオンに切り換えて、二次電池２の電力を放電回路３２に出力する。制御回路３６は、接続端子５に接続している携帯機器９０が外されると、接続端子５から携帯機器９０が外されたことを、出力電流で検出できる。携帯機器９０が外されると出力電流が０Ａとなるからである。制御回路３６は、接続端子５から携帯機器９０が外されると、電源スイッチ３５をオフに切り換えて、二次電池２から放電回路３２への出力を停止する。
【００７０】
さらに、制御回路３６は、電池温度を検出して二次電池２の充放電をコントロールする。二次電池２の温度は、円筒形の二次電池２の表面に熱結合状態に固定している温度センサ３９で検出される。したがって、制御回路３６には温度センサ３９を接続している。制御回路３６は、二次電池２の温度に対する許容電流を記憶しており、二次電池２を充放電する電流を許容電流よりも小さく制御して二次電池２を保護する。また、制御回路３６は、二次電池２の充放電を許容する最高温度と最低温度を記憶して、この最高温度と最低温度との間で充放電を許容するように制御することもできる。
【００７１】
（残容量検出回路３７）
さらに、回路基板３は、二次電池２の残容量を検出する残容量検出回路３７も実装している。この残容量検出回路３７は、二次電池２の電圧や電池の電流から残容量を演算する。残容量検出回路３７で検出された二次電池２の残容量を示す信号は、制御回路３６に入力される。制御回路３６は、残容量検出回路３７から入力される信号に基づいて、充電回路３１や電源スイッチ３５を制御する。制御回路３６は、二次電池２の充電時において、二次電池２が所定の容量まで充電されると、充電回路３１を停止して二次電池２の充電を停止する。また、制御回路３６は、二次電池２の放電時において、二次電池２の残容量が所定の残容量以下になると、電源スイッチ３５をオフに切り換えて二次電池２からの放電を停止して、二次電池２を過放電から保護する。
【００７２】
（表示部３８）
さらに、携帯型電源装置１００は、外部接続された携帯機器９０の充電状態や、内蔵する二次電池２の残容量等を外部表示するための表示部３８を備えている。図１と図６に示す本体ケース１は、上面に設けた操作スイッチ５０に隣接して、表示窓５４を開口しており、この表示窓５４から外部に光を照射して外部に表示できる構造としている。図に示す表示部３８は、回路基板３に実装される発光ダイオード５５とこの発光ダイオード５５の光を表示窓５４に案内するライトガイド５６とで構成されている。表示窓５４に配置されるライトガイド５６は、図５に示すように、遮光シート５７を貫通するガイド部を表示窓５４に案内して発光ダイオード５５の照射光をライトガイド５６を介して外部に照射できるようにしている。以上の表示部３８は、点灯回路５８により発光ダイオード５５の発光色や点滅状態と変化させて残容量を表示する。表示部３８は、操作スイッチ５０が操作されると制御回路３６から点灯回路３８に入力される残容量の信号に基づいて発光ダイオード５５を点灯して残容量を表示する。
【００７３】
（操作スイッチ５０）
さらに、携帯型電源装置１００は、本体ケース１の上面に操作スイッチ５０を設けている。図の本体ケース１は、第２ケース１２の表面であって、上面の中央部にスイッチ窓５３を開口しており、このスイッチ窓５３に操作スイッチ５０の操作ボタン５１を配置している。図に示す操作ボタン５１は、本体ケース１に対して弾性的に出入りできるように、本体ケース１に連結されている。図５に示す操作ボタン５１は、ボタン本体５１Ａの両側に延びる弾性アーム５１Ｂを備えており、この弾性アーム５１Ｂを本体ケース１の内面に固定して、ボタン本体５１Ａを本体ケース１に対して弾性的に出入りできる構造としている。さらに、ボタン本体５１Ａは、裏面側に押圧部を備えており、この押圧部で回路基板３に実装された押しボタンスイッチ５２のプランジャーを押圧できるようにしている。
【００７４】
以上の操作スイッチ５０は、例えば、充電したい携帯機器９０に接続端子５を接続する状態でオンとすることで放電回路３２を動作させて二次電池２からの放電を開始させる。これにより、二次電池２の電力を接続端子５から出力して、携帯機器９０に内蔵される内蔵電池９２を充電することが可能となる。さらに、この操作スイッチ５０は、二次電池２の残容量を表示する際の作動スイッチとして機能させることができる。携帯型電源装置１００は、例えば、接続端子５を外部機器９０に接続しない状態で、この操作スイッチ５０を操作することで、内蔵される二次電池２の残容量を表示部３８で表示することができる。
【００７５】
（充電コネクタ３４）
さらにまた、携帯型電源装置１００は、内蔵する二次電池２を充電するための充電コネクタ３４を備えている。充電コネクタ３４は、図５と図８に示すように、回路基板３に固定されており、本体ケース１に開口されたコネクタ窓４７と対向する位置に配置されている。図に示す充電コネクタ３４は、ＵＳＢコネクタとしている。ＵＳＢコネクタである充電コネクタ３４は、回路基板３に実装された充電回路３１に接続されている。この携帯型電源装置１００は、ＡＣアダプタ等の外部電源９５の充電端子（図示せず）が充電コネクタ３４に接続されて、この外部電源９５から供給される電力で二次電池２を充電する。図５と図８に示す携帯型電源装置１００は、コネクタ窓４７を開閉自在に閉塞する開閉蓋４８を備えている。図に示す開閉蓋４８は、本体ケース１に対して引き出し自在に連結されており、本体ケース１から引き出された状態でコネクタ窓４７が開放される。この携帯型電源装置１００は、開放されたコネクタ窓４７から充電端子を挿入して、充電コネクタ３４に接続するようにしている。開閉蓋４８は、本体ケース１よりも柔らかい樹脂、例えば、エラストマー等で成形されており、コネクタ窓４７を開閉自在に閉塞して、非使用時において充電コネクタ３４を保護している。
【００７６】
（電池組立）
以上の電子部品を実装してなる回路基板３は、ケーブル部４のリード線４１が半田付け等により接続されると共に、リード板４９を介して二次電池２が接続されて電池組立の状態で本体ケース１に収納される。二次電池２は、リード板４９を介して回路基板３に物理的に連結され、かつ電気接続される。円筒形の二次電池２は、正負の端面電極を一対のリード板４９を介して回路基板３に接続している。円筒状の二次電池２は、回路基板３の長手方向に配置されて、直線状に連結される。一対のリード板４９は、回路基板３側の端面電極に接続される第１リード板４９Ａと、反対側の端面電極に接続される第２リード板４９Ｂとからなる。第１リード板４９Ａは、端面電極に接続される接続部と、回路基板３に接続される接続片とを両端に備えている。第２リード板４９Ａは、端面電極に接続される接続部と回路基板３に接続される接続片とを、二次電池２の側面に沿って延長されるリード部の両端に備えている。これらのリード板４９は、各々の接続部が二次電池２の対向する端面電極に接続されると共に、各々の接続片が回路基板３の両側に接続されて、二次電池２を回路基板３に電気接続している。リード板４９は、導電性に優れた金属製とし、例えば銅板やアルミ板とする。
【産業上の利用可能性】
【００７７】
本発明に係る携帯型電源装置は、携帯機器と一緒に持ち運びして、携帯機器の電池が放電された状態では、携帯機器に接続して、携帯機器に内蔵している電池を充電する緊急用、非常用の電源として好適に使用できる。
【符号の説明】
【００７８】
１００、２００…携帯型電源装置
１、２０１…本体ケース
１Ａ…電池収納部
１Ｂ…基板収納部
１ｘ、２０１ｘ…端面
２…二次電池
３…回路基板
３Ａ…第一面
３Ｂ…第二面
３ａ…位置決め孔
４…ケーブル部
５…接続端子
５Ａ…端子部
５Ｂ…本体部
６、２０６…収納凹部
７、２０７…ブッシュ部
８…カバーケース
８ａ…ガイド凸部
１０、２１０…窪み部
１１…第１ケース
１２…第２ケース
１３…端面壁
１３Ａ…開口部
１４…挿入部
１４ａ…ガイド溝
１５…嵌入溝部
１６…嵌入凹部
１７…溝型リブ
１８…筒部
１９…段差
２０…開放部
２１…接合リブ
２２…接合凹部
２３…係止リブ
２３Ａ…係止孔
２４…係止凸部
２５…支持リブ
２６…支持リブ
２７…位置決めボス
２８…連結ボス
２９…止ネジ
３０…扁平面
３１…充電回路
３２…放電回路
３３…ＤＣ／ＤＣコンバータ
３４…充電コネクタ
３５…電源スイッチ
３６…制御回路
３７…残容量検出回路
３８…表示部
３９…温度センサ
４１…リード線
４２…固定ブロック
４２Ａ…固定凸部
４２Ｂ…凸部
４３…固定部
４４…固定部
４５…リブ
４６…リブ
４７…コネクタ窓
４８…開閉蓋
４９…リード板
４９Ａ…第１リード板
４９Ｂ…第２リード板
５０…操作スイッチ
５１…操作ボタン
５１Ａ…ボタン本体
５１Ｂ…弾性アーム
５２…押しボタンスイッチ
５３…スイッチ窓
５４…表示窓
５５…発光ダイオード
５６…ライトガイド
５７…遮光シート
５８…点灯回路
６１、２６１…ケーブル収納部
６１Ａ…湾曲部
６２…端子収納部
６３…底面
６３ａ…貫通孔
６４…嵌入凹部
６５…保持部
６６…ロック機構
６７…係止フック
６８…弾性アーム
７１、２７１…第一分割片
７１Ａ…保持筒部
７１Ｂ…湾曲支持部
７２、２７２…第二分割片
７２Ａ…保持筒部
７２Ｂ…湾曲支持部
７３…連結凸部
７４…連結凹部
７５…嵌合リブ
７６…嵌合凸部
９０…携帯機器
９２…内蔵電池
９５…外部電源
３０２…二次電池
３０４…ケーブル
３１０…本体
３２０…キャップ部
３２０Ｂ…キャップ部
３２２…ＵＳＢ端子
ｍ…中心線
【図１】
2016226066.tif 000003
【図２】
2016226066.tif 000004
【図３】
2016226066.tif 000005
【図４】
2016226066.tif 000006
【図５】
2016226066.tif 000007
【図６】
2016226066.tif 000008
【図７】
2016226066.tif 000009
【図８】
2016226066.tif 000010
【図９】
2016226066.tif 000011
【図１０】
2016226066.tif 000012
【図１１】
2016226066.tif 000013
【図１２】
2016226066.tif 000014
【図１３】
2016226066.tif 000015
【図１４】
2016226066.tif 000016
【図１５】
2016226066.tif 000017
【図１６】
2016226066.tif 000018